(57)【特許請求の範囲】
【請求項１】
構造物の力学的状態を監視するためのシステムにおいて、
前記構造物の複数の測定点にそれぞれ設けられ、それぞれの測定点の力学的状態を測定して力学的状態データを出力すると共に前記構造物において外力を受け止める、複数のセンシング力学部材と、
前記複数のセンシング力学部材から出力された前記力学的状態データを入力して分析する分析システムと
を備え、
前記分析システムが、前記複数の測定点のそれぞれの位置を示す位置データと、前記構造物の占める３次元又は２次元の空間領域を表した構造物形状モデルデータとを有し、
前記分析システムが、前記複数の測定点の前記力学的状態データと前記位置データとを用いて、前記構造物の占める３次元又は２次元の前記空間領域における力学的状態の分布を示す分析結果データを作成するように構成され、
前記分析システムが、前記構造物形状モデルデータ、並びに、前記複数の測定点の前記力学的状態データ及び前記位置データを用いて、前記構造物形状モデルデータと前記複数の測定点の前記力学的状態データとが位置合わされ重ねられた第一のモデルデータを、前記分析結果データの一種として、作成するように構成され、
前記センシング力学部材の一以上が、それ自身の位置を測定して測定位置データを出力できるように構成され、
前記分析システムが、前記一以上のセンシング力学部材から前記測定位置データを入力するように構成され、
前記分析システムが、前記構造物形状モデルデータ、並びに、前記一以上のセンシング力学部材の前記測定位置データを用いて、前記構造物形状モデルデータと前記一以上のセンシング力学部材の前記測定位置データとが位置合わされ重ねられた第三のモデルデータを、前記分析結果データの一種として、作成するように構成され、
前記分析システムが、前記分析結果データを可視的に表示する機能をもつモニタに、前記分析結果データを提供するように構成された
構造物監視システム。
【請求項２】
前記分析システムが、前記一以上のセンシング力学部材の前記測定位置データを評価して位置評価データを作成するように構成され、
前記分析システムが、前記構造物形状モデルデータ、並びに、前記一以上のセンシング力学部材の前記位置評価データ及び前記位置データを用いて、前記構造物形状モデルデータと前記一以上のセンシング力学部材の前記位置評価データとが位置合わされ重ねられた第四のモデルデータを、前記分析結果データの一種として、作成するように構成された
請求項１記載の構造物監視システム。
【請求項３】
構造物の力学的状態を監視するためのシステムにおいて、
前記構造物の本来の機能を得るために前記構造物の複数の測定点にそれぞれ設けられて前記構造物を締結すると共に、それぞれの軸力の値を示す作用力データを生成する、複数のセンシング締結ボルトと、
前記複数のセンシング締結ボルトから出力された前記作用力データを入力して分析する分析システムと
を備え、
前記分析システムが、前記複数の測定点のそれぞれの位置を示す位置データを有し、
前記分析システムが、前記複数の測定点の前記作用力データと前記位置データとを用いて、前記構造物の占める３次元又は２次元の空間領域における力学的状態の分布を示す分析結果データを作成するように構成され、
前記分析システムが、前記分析結果データを可視的に表示する機能をもつモニタに、前記分析結果データを提供するように構成され、
前記センシング締結ボルトは、ヘッドと、当該ヘッドから延びるシャンクとを備え、
前記ヘッドの上面には、内側面を有する凹部が形成されており、
前記シャンクに加わる軸力により、前記凹部の前記内側面に生じる歪みの大きさをセンスする電子装置を有する
構造物監視システム。
【請求項４】
前記電子装置は、前記凹部の前記内側面に貼り付けられた抵抗歪みゲージを有する
請求項３記載の構造物監視システム。
【請求項５】
前記電子装置は、２つの前記抵抗歪みゲージを有する
請求項４記載の構造物監視システム。
【請求項６】
前記内側面は、前記シャンクの延びる方向に対して傾斜している
請求項３〜５のいずれか一項に記載の構造物監視システム。
【請求項７】
前記分析システムが、前記構造物の占める３次元又は２次元の前記空間領域を表した構造物形状モデルデータを有し、
前記分析システムが、前記構造物形状モデルデータ、並びに、前記複数の測定点の前記作用力データ及び前記位置データを用いて、前記構造物形状モデルデータと前記複数の測定点の前記作用力データとが位置合わされ重ねられた第一のモデルデータを、前記分析結果データの一種として、作成するように構成された、
請求項３〜６のいずれか一項に記載の構造物監視システム。
【請求項８】
前記分析システムが、前記複数の測定点の前記作用力データを評価して作用力評価データを作成するように構成され、
前記分析システムが、前記構造物形状モデルデータ、並びに、前記複数の測定点の前記作用力評価データ及び前記位置データを用いて、前記構造物形状モデルデータと前記複数の測定点の前記作用力評価データとが位置合わされ重ねられた第二のモデルデータを、前記分析結果データの一種として、作成するように構成された
請求項７記載の構造物監視システム。
【請求項９】
前記センシング締結ボルトの一以上が、それ自身の位置を測定して測定位置データを出力できるように構成され、
前記分析システムが、前記一以上のセンシング締結ボルトから前記測定位置データを入力するように構成され、
前記分析システムが、前記構造物形状モデルデータ、並びに、前記一以上のセンシング締結ボルトの前記測定位置データを用いて、前記構造物形状モデルデータと前記一以上のセンシング締結ボルトの前記測定位置データとが位置合わされ重ねられた第三のモデルデータを、前記分析結果データの一種として、作成するように構成された
請求項７又は８記載の構造物監視システム。
【請求項１０】
前記分析システムが、前記一以上のセンシング締結ボルトの前記測定位置データを評価して位置評価データを作成するように構成され、
前記分析システムが、前記構造物形状モデルデータ、並びに、前記一以上のセンシング締結ボルトの前記位置評価データ及び前記位置データを用いて、前記構造物形状モデルデータと前記一以上のセンシング締結ボルトの前記位置評価データとが位置合わされ重ねられた第四のモデルデータを、前記分析結果データの一種として、作成するように構成された
請求項９記載の構造物監視システム。
【発明の詳細な説明】
【技術分野】
【０００１】
本発明は、一般には、構造物の力学的状態を監視するためのシステム及び方法、並びに同システムのための分析システムに関する。
【背景技術】
【０００２】
各種の機械、建造物、道路、トンネル、橋梁、岸壁、岩盤、地盤及び岩壁などの人工的又は自然的な構造物では、締結ボルト、鉄骨、鉄筋、コンクリート成形物、吊ワイヤなどの、さまざまな力学部材が、その構造物の構築、補強又は利用などの目的で使われる。その構造物の形状、構造、強度、機能又は用途の維持のために、構造物内のそれぞれの力学部材が、適正な大きさの応力を発生している必要がある。例えば、締結ボルトは、適正な大きさの応力を発生して、構造物を締め付けている必要がある。締結ボルトの緩みは防止又は矯正されなくてはならない。
【０００３】
特許文献１には、複数の構造用ファスナーの緩みを監視するために、各々応力センサを備えた複数の構造用ファスナーからの応力データを遠隔のデバイスが無線通信で受信することが開示されている。
【０００４】
特許文献２には、鉄道レールを枕木に固定する締結装置の緩み及び緩みに起因するレールの振動を、磁気平衡型加速度センサを用いて検出して、そのセンサの出力信号をレール近く又は車両に設けたリーダで無線受信して処理することが開示されている。
【０００５】
特許文献３には、締結体の緩み又は軸力の低下を検出するために、締結体の内部に組み込んだロードセルで締結体の軸力を検出し、検出結果を遠隔の管理センターへ通信回線を通じて送ることが開示されている。
【０００６】
特許文献４には、橋に取り付けられたセンサネジで検出された歪み信号を、使用者が橋を歩きならば無線トランシーバーで受信することが開示されている。
【０００７】
特許文献５には、構造物に貼りつけられた圧電素子から高周波弾性波を発生させ、その圧電素子に発生する電気インピーダンスの変化を連続的に観察することで、構造物の損傷を評価することが開示されている。
【０００８】
特許文献６には、橋梁を点検するために、巡視ロボットがレール上を走行しながら橋梁をカメラで撮影して外部へ送信することが開示されている。
【先行技術文献】
【特許文献】
【０００９】
【特許文献１】特表2013-518320号公報
【特許文献２】特開2007-147412号公報
【特許文献３】特開2010-117310号公報
【特許文献４】実用新案登録第3197435号公報
【特許文献５】特開2004-28907号公報
【特許文献６】特開2006-37557号公報
【発明の概要】
【発明が解決しようとする課題】
【００１０】
特許文献１乃至４に記載された発明によると、構造物で使用される各締結具の緩みを検出することができる。特許文献５に開示された発明によると、構造物の各圧電素子の近傍の損傷の有無を推測することができる。特許文献６に記載された発明によると、構造物の外表面に現れた異変を視覚的に認識することができる。
【００１１】
社会に存在する様々な有用な構造物の老朽化や災害被害に対して、タイムリーで適切なメンテナンスを実施可能にすることは、安全かつ快適な社会の持続のために重要な課題である。この課題の達成のために、構造物における力学的状態（歪み、変形、劣化、損傷又は強度低下などの力学的な異常の有無や度合）の空間的な分布を、より容易に把握できることが望まれている。
【００１２】
本発明の目的は、構造物における力学的状態の空間的な分布をより容易に把握できるシステムを提供することにある。
【課題を解決するための手段】
【００１３】
本発明の一側面に従えば、次のような構造物の力学的状態を監視するシステムが提供される。
【００１４】
この構造物監視システムは、構造物の複数の測定点にそれぞれ設けられ、それぞれの測定点の力学的状態を測定して力学的状態データを出力する、複数のセンシング力学部材と、複数のセンシング力学部材から出力された力学的状態データを入力して分析する分析システムとを備える。
【００１５】
分析システムが、複数の測定点のそれぞれの位置を示す位置データを有する。分析システムが、複数の測定点の力学的状態データと位置データとを用いて、構造物の占める３次元又は２次元の空間領域における力学的状態の分布を示す分析結果データを作成する。さらに、分析システムが、分析結果データを可視的に表示する機能をもつモニタに、分析結果データを提供する。
【００１６】
この構造物監視システムによると、構造物における力学的状態の空間的分布が容易に把握又は予測できるようになる。
【００１７】
分析システムは、構造物の占める３次元又は２次元の空間領域を表した構造物形状モデルデータを有してよい。
【００１８】
分析システムが、構造物形状モデルデータ、並びに、複数の測定点の力学的状態データ及び位置データを用いて、構造物形状モデルデータと複数の測定点の力学的状態データとが位置合わされ重ねられた第一のモデルデータを、上述の分析結果データの一種として、作成するように構成されてよい。
【００１９】
第一のモデルデータをモニタで表示することで、構造物における複数の測定点の力学的状態の空間的分布が把握できる。
【００２０】
また、分析システムが、複数の測定点の力学的状態データを評価して力学的状態評価データを作成するように構成されてよい。そして、分析システムが、構造物形状モデルデータ、並びに、複数の測定点の力学的状態評価データ及び位置データを用いて、構造物形状モデルデータと複数の測定点の前記力学的状態評価データとが位置合わされ重ねられた第二のモデルデータを、分析結果データの一種として、作成するように構成されてよい。
【００２１】
第二のモデルデータをモニタで表示することで、構造物における複数の測定点の力学的状態の評価（例えば、異常の有無又は度合いなど）の空間的分布が把握できる。
【００２２】
測定点の一以上が、それ自身の位置を測定して測定位置データを出力できるように構成されてよい。そして、分析システムが、一以上の測定点から測定位置データを入力するように構成されてよい。さらに、分析システムが、構造物形状モデルデータ、並びに、一以上の測定点の測定位置データを用いて、構造物形状モデルデータと一以上の測定点の測定位置データとが位置合わされ重ねられた第三のモデルデータを、分析結果データの一種として、作成するように構成されてよい。
【００２３】
第三のモデルデータをモニタで表示することで、構造物における複数の測定点の実際の位置（災害などで規定位置からずれることがある）の空間的分布が把握できる。
【００２４】
前記分析システムが、一以上の測定点の測定位置データを評価して位置評価データを作成するように構成されてよい。分析システムが、構造物形状モデルデータ、並びに、一以上の測定点の位置評価データ及び位置データを用いて、構造物形状モデルデータと一以上の測定点の位置評価データとが位置合わされ重ねられた第四のモデルデータを、分析結果データの一種として、作成するように構成されてよい。
【００２５】
第四のモデルデータをモニタで表示することで、構造物における複数の測定点の実際の位置の評価結果（例えば、異常な位置ずれの有無又は度合い）の空間的分布が把握できる。
【００２６】
本発明の別の側面に従えば、上述した構造物監視システムによって行うことができる、構造物の力学的状態を監視する方法が提供される。
【００２７】
本発明のまた別の側面に従えば、上述した構造物監視システムのための分析システムが提供される。
【発明の効果】
【００２８】
本発明によれば、構造物の力学的状態の空間的な分布の把握が容易になる。
【図面の簡単な説明】
【００２９】
【図１】本発明の一つの実施形態に係る構造物監視システムの構成を示すブロック図である。
【図２】同システムが適用される構造物の一例としての橋梁の構造例を簡単に示す正面図である。
【図３】同システムで用いられるセンシング力学部材の一例としての締結ボルトの構造例を示す断面図である。
【図４】同締結ボルトに搭載される電子装置の構成例を示す断面図である。
【図５】同電子装置の変形構成例を示す断面図である。
【図６】同システムの分析システムが管理する基準点に関するデータの構成例を示すデータ構成図である。
【図７】同分析システムが管理するセンシング力学部材に関するデータの構成例を示すデータ構成図である。
【図８】同分析システムが管理する分析結果データの構成例を示すデータ構成図である。
【図９】同分析システムが実行する構造物形状モデリング処理のステップ例を示すフローチャートである。
【図１０】同分析システムが実行する力学的状態評価処理のステップ例を示すフローチャートである。
【図１１】同分析システムが実行する領域力学的状態データ作成処理のステップ例を示すフローチャートである。
【図１２】同領域力学的状態データ作成処理で作成された位置評価モデルデータの表示イメージ例を示す図である。
【図１３】同領域力学的状態データ作成処理で作成された作用力評価モデルデータの表示イメージ例を示す図である。
【発明を実施するための形態】
【００３０】
以下、図面を参照しながら、本発明の一実施形態を説明する。
【００３１】
図１は、本発明の一実施形態に係る構造物監視システムの構成を示す。
【００３２】
図１に示すように、構造物監視システム１は、監視される構造物１の異なる複数の箇所にそれぞれ取り付けられた複数のセンシング力学部材３を有することができる。センシング力学部材３の各々は、その内部の応力で、構造物２の他の部分から加わる外力を受け止めている部材であり、例えば、締結ボルト、鉄骨、鉄筋、コンクリート成形物、吊ワイヤなどであってよい。
【００３３】
センシング力学部材３の各々は、構造物２の本来の機能を得るために構造物２で使われる力学部材（例えば、構造物の骨組み鉄骨同士を締結する締結ボルト、構造物の基礎に埋め込まれた鉄筋、など）であってよい。あるいは、センシング力学部材３の各々は、構造物２の本来の機能を得るためには不要であって、構造物２の力学的状態の監視のためにわざわざ構造物２に設けられた力学部材（例えば、構造物の基礎を構成するコンクリ―トブロックに埋め込まれた、そのコンクリートブロックの力学的状態の監視のための埋め込みボルト）であってもよい。
【００３４】
各センシング力学部材３は、そのセンシング力学部材３の力学的状態（例えば、それが受けている外力の大きさ、そこで発生している応力の大きさ、あるいは、その応力によって生じた歪みや変形の大きさ）をセンスする装置を有する。各センシング力学部材３によりセンスされた力学的状態は、各センシング力学部材３が設けられた構造物２の“一箇所”つまり“一地点”における力学的状態である。その意味で、この明細書では、各センシング力学部材３により測定された力学的状態のことを「点力学的状態」と呼び、それを表すデータのことを「点力学的状態データ」と呼ぶ。また、各センシング力学部材３が設けられた構造物の箇所を「測定点」と呼ぶ。各センシング力学部材３からの点力学的状態データは、有線又は無線の通信方法で、各センシング力学部材３の外部へ送信することができる。
【００３５】
各センシング力学部材３は、それ自身の固有の識別コード、及び／又は、それ自身の位置を計測する測位装置を有してよい。測位装置として、例えば、GPS （Global Positioning System）受信機やQZSS（Quasi-Zenith Satellite System）受信機のような衛星測位システムの受信機、地上の複数の無線基地局を利用したローカルな測位システムの受信機、それらの組み合わせ、あるいは、その他の種類の測位システムが採用できる。各力学部材３の識別コード及び／又は測定位置データは、有線又は無線の通信方法で、各力学部材３の外部へ送信することができる。
【００３６】
構造物監視システム１は、分析システム５を備えることができる。分析システム５は、例えば、以下に説明する処理つまりプロセスを実行するコンピュータプログラム又は電子回路を備えたコンピュータシステムであってよい。分析システム５は、構造物２の複数のセンシング力学部材３から、上述した点力学的状態データ、並びに、識別コード及び／又は測定位置データを収集する。このデータ収集の動作は、継続的つまり繰り返して（例えば、定期的に、又は必要がある都度に）実行される。分析システム５は、分析システム５は、データベース５０を有し、収集したセンシング力学部材３の点力学的状態データ、識別コード及び測定位置データをデータベース５０に保存し管理する。
【００３７】
分析システム５は、データベース５０に保存された複数の力学部材３の点力学的状態データを分析して、構造物２の力学的状態を示すデータを作成する。ここで、構造物２の力学的状態とは、構造物２が占める３次元又は２次元の“空間的領域”における力学的状態の分布である。その意味で、この明細書では、分析システム５により判明される構造物２の力学的状態のことを「領域力学的状態」と呼び、それを示したデータのことを「領域力学的状態データ」と呼ぶ。分析システム５は、作成した構造物２の領域力学的状態データを、データベース５０に保存し管理する。
【００３８】
各センシング力学部材３からプロセッサ装置５へのデータの伝送は、有線又は無線の通信方法で行うことができる。一例として、図１に示されるように、データ読み取り装置４が、各センシング力学部材３から、有線又は無線の通信方法で、点力学的状態データ、識別コード及び／又は測定位置データを読み取り、そして、それらのデータを、有線又は無線の通信ネットワーク１２を通じて、分析システム５に送ることができる。あるいは、別の通信方法、例えば、データ読み取り装置４を介することなしに、各センシング力学部材３が通信ネットワーク１２を通じて分析システム５に、上述したデータを送信するようにしてもよい。あるいは、例えば、通信ネットワーク１２を介することなしに、データ読み取り装置４から分析システム５に収集データを伝送してもよい。
【００３９】
構造物監視システム１は、一以上のモニタ６を有することができる。各モニタ６は、表示スクリーンを有し、分析システム５から提供される各種のデータをイメージ化してその表示スクリーン上に表示する機能をもつコンピュータシステムであってよい。各モニタ６は、分析システム５から、データベース５０で管理されている、複数のセンシング力学部材３の点力学的状態データ、識別コード及び測定位置データ、並びに、構造物２の領域力学的状態データを受信して、それらのデータのイメージを上記表示スクリーンに表示することができる。各モニタ６と分析システム５との間の通信は、例えば、有線又は無線の通信ネットワーク１５を通じて、あるいは他の通信手段を通じて、行うことができる。
【００４０】
図２は、構造物監視システム１が適用される構造物１の構造例を簡単に示す。
【００４１】
図２に例示された構造物１は橋梁であり、主桁２１、両端の橋台２２A、２２B、橋脚２３、橋台の基礎２４、及び、橋脚の基礎２５などを有する。なお、参照番号２７は地表を示す。構造物１上の異なる位置に存在するさまざまな測定点にそれぞれセンシング力学部材３（図２では、円形ドットのマークで示されている）が取り付けられている。例えば、主桁２１の複数の測定点、それぞれの橋台２２A、２２Bの複数の測定点、及び、橋脚基礎２４の複数の測定点などに、それぞれ、センシング力学部材３が設けられている。センシング力学部材３が設けられる測定点は、構造物２の地上の部分だけでなく、地中又は水中の部分に存在してもよい。
【００４２】
各センシング力学部材３は、それ自身の識別コードを有することができる。また、少なくとも一部のセンシング力学部材３は、それ自身の位置で利用可能な測位方法を用いた測位装置を有することができる。例えば、構造物１の地上の部分に配置されたセンシング力学部材３は、例えばGPSのような衛星測位法に測位装置を有することができる。あるいは、すべての又は一部のセンシング力学部材３が測位装置を具備しなくてもよい。例えば、地中に配置されたセンシング力学部材３は測位装置を具備しなくてもよい。
【００４３】
図２において、Xマークは、構造物２が占める３次元又は２次元の空間的領域を定義するための基準点２６を示している。本明細書では、構造物２が占める３次元又は２次元の空間的領域のことを、単に、構造物２の「形状」と呼ぶ。構造物２には複数の基準点２６が予め定義されている。構造物２と力学的関係を有する環境物（例えば地表２７）にも基準点２６が定義されてよい。それぞれの基準点２６には固有の識別コードが定義される。複数の基準点２６の識別コードが、分析システム５のデータベース５０に登録されている。さらに、複数の基準点２の位置（例えば、緯度、経度、高度）を示す位置データが、それぞれの基準点の識別コードに関連付けられて、分析システム５のデータベース５０に登録されている（図７参照）。
【００４４】
図３は、構造物監視システム１で用いられるセンシング力学部材３の一例としての締結ボルトの構造例を示す。
【００４５】
図３に締結ボルトとして例示されたセンシング力学部材３は、例えば鋼製であり、６角柱状のヘッド３１と、ヘッド３１から延びる円柱状のシャンク３３を備える。図１の例では、センシング力学部材３が、構造物２の複数の部材２０１と２０２を締結しているが、これは説明のための例示にすぎない。
【００４６】
ヘッド３１の上面には凹部３４が形成されている。凹部３４の内側に電子装置３２が搭載されている。電子装置３２は、センシング力学部材３内に生じた応力による凹部３４の内表面の歪みの大きさを電子的にセンスして、その歪みの大きさからシャンク３３の作用力（例えば、軸力又は締め付け力）の値を示す作用力データを生成する機能をもつ。電子装置３２は、また、センシング力学部材３に固有の識別コードを記憶している。電子装置３２は、さらに、電子装置３２の位置（例えば、緯度、経度、高度）を測定して測定位置データを生成する測位装置を有してもよい。電子装置３２の駆動電力は、図１に示されたデータ読み取り装置４から、又は、図示しない別の電源装置から、有線又は無線の給電方法で、電子装置３２に供給することができる。電子装置３２は、上述した作用力データ、識別コード及び（測位装置を有する場合には）測定位置データを、外部へ出力する機能をもつ。電子装置３２の出力データは、図１を参照して説明したように、分析システム５に入力される。
【００４７】
図４は、図３に示された締結ボルトとしてのセンシング力学部材３に搭載される電子装置３２の構成例を示す断面図である。
【００４８】
図４に示すように、電子装置３２は、例えば２つの抵抗歪みゲージ３２１、３２２を有し、それらはヘッド３１の凹部３４の内面に貼りつけられている。センシング力学部材３の作用力による凹部３４の内面の歪みに応じて、抵抗歪みゲージ３２１、３２２の電気抵抗値が変化する。
【００４９】
電子装置３２は、歪みセンサ回路３２５、情報処理回路３２６及び電源回路３２７を有する。さらに、電子装置３２は測位装置３２８を有してもよい。これらの回路は防水性のケーシング３２９内に収容される。
【００５０】
電源回路３２７は、図１に示されたデータ読み取り装置４又は図示しない他の外部装置から、有線又は無線の方法で電力供給を受けて、動作する。電源回路３２７は、歪みセンサ回路３２５及び情報処理回路３２６、並びに（それが有る場合には）測位装置３２８に、駆動電力を供給する。
【００５１】
歪みセンサ回路３２５は、電線３２３，３２４を介して、抵抗歪みゲージ３２１、３２２に接続される。歪みセンサ回路３２５は、ホイートストンブリッジ法により抵抗歪みゲージ３２１、３２２の抵抗値に応じた電圧信号を生成し、その電圧信号を歪みデータに変換し、そして、歪みデータを情報処理回路３２６に送る。歪みデータは、
ヘッド３１の凹部３４の内面の歪みの大きさに応じた値を有する。
【００５２】
情報処理回路３２６は、歪みセンサ回路３２５から歪みデータを受け、その歪みデータの値から、センシング力学部材３の作用力の値を計算して、その作用力値を示す作用力データを生成する。情報処理回路３２６は、また、センシング力学部材３に固有の識別コードを記憶している。電子装置３２内に測位装置３２８が存在する場合には、情報処理回路３２６は、測位装置３２８から出力される測定位置データを受ける。情報処理回路３２６は、識別コード及び作用力データ、並びに（測位装置３２８が有る場合には）測定位置データを、外部へ出力することができる。
【００５３】
測位装置３２８は、それ自身の位置（例えば、緯度、経度、高度）を測定して、測定された位置を示す測定位置データを情報処理回路３２６に出力する。
【００５４】
以上の構成をもつ電子装置３２は、継続的つまり繰り返し（例えば定期的に、又は必要がある時の都度に）動作して、その時に測定された作用力データ、及び（測位装置３２８が有る場合には）測定位置データを、識別コードとともに、外部へ出力する。それらの出力データは、図１を参照して説明したように、分析システム５へ伝送される。
【００５５】
図５は、電子装置３２の変形構成例を示す。
【００５６】
電子装置３２は、２以上のサブ装置に分離されていてもよい。図５に示された例では、電子装置３２は、第１装置３２Aと第２装置３２Bに分離されていて、それらはケーブル３２C又は無線の接続手段で、給電可能かつ通信可能に接続される。第１装置３２Aは、例えば、図４に示した抵抗歪みゲージ３２１、３２２、歪みセンサ回路３２５、情報処理回路３２６及び電源回路３２７に相当する回路を有する。他方、第２装置３２Bは、例えば、図４に示した測位装置３２８に相当する回路を有する。
【００５７】
第２装置３２Bは、構造物２上のセンシング力学部材３とは別の場所１０３に取り付けることができる。例えば、センシング力学部材３が測位に適さない場所に配置されているならば、第２装置３２Bは測位に適した場所に配置することができる。センシング力学部材３と第２装置３２Bの距離がある程度近ければ、第２装置３２Bが測定した位置をセンシング力学部材３の位置を示すとみなしても実用的な問題は生じないであろう。あるいは、センシング力学部材３と第２装置３２Bとの位置の違い分だけ、第２装置３２Bの測定した位置を修正することもできる。
【００５８】
図６は、図1に示された分析システム５がデータベース５０上で管理する、構造物２の基準点２６（図２参照）に関するデータの構成例を示す。
【００５９】
分析システム５は、図６に示すような基準点データテーブル５１を、データベース５０に有することができる。基準点データテーブル５１には、構造物２の基準点２６に関するデータが記録される。そのようなデータには、例えば、各基準点２６の識別データ（基準点ID）、各基準点２６が位置する構造物２の部位、及び、各基準点２６の位置（例えば、緯度、経度、高度）などのデータがある。分析システム５は、基準点データテーブル５１上のデータを用いて、構造物２の３次元又は２次元の形状（構造物２が占める空間的領域）を表現した形状モデルデータを作成することができる。
【００６０】
図７は、分析システム５がデータベース５０上で管理する、センシング力学部材３に関するデータの構成例を示す。
【００６１】
分析システム５は、図７に示すような測定点データテーブル５２を、データベース５０に有することができる。測定点データテーブル５２は、規定データ部５２Aと、測定データ部５２Bと、評価データ部５２Cを有する。
【００６２】
規定データ部５２Aには、構造物２の複数のセンシング力学部材３（つまり測定点）に関する、予め規定された値をもつデータが記録される。そのようなデータとして、例えば、各センシング力学部材３（測定点）の識別データ（測定点ID）、各センシング力学部材３の種別、各センシング力学部材３が取り付けられた構造物２の部位（適用部位）、各センシング力学部材３の設計で規定された位置（規定位置）（例えば、緯度、経度、高度）、及び、各センシング力学部材３の設計で規定された作用力の適正範囲（規定作用力範囲）（締結ボルトの場合には、例えば、適正な軸力又は締め付け力の範囲）などを用いることができる。
【００６３】
測定データ部５２Bには、構造物２の複数のセンシング力学部材３（測定点）により測定されたデータが記録される。そのようなデータとして、例えば、各センシング力学部材３が測定を実行した日時（測定日時）、各測定日時に各センシング力学部材３により測定された作用力（測定作用力）及び（そのセンシング力学部材３が測位装置を有するならば）位置（例えば、緯度、経度、高度）などのデータを用いることができる。構造物２の複数のセンシング力学部材３は作用力や位置の測定を継続的つまり繰り返し（例えば、定期的又は必要がある時に）を行って、それらの測定データを生成する。分析システム５は、その測定が行われる機会の都度、複数のセンシング力学部材３からそれらの測定データを収集して、測定データ部５２Bに記録する。
【００６４】
評価データ部５２Cには、構造物２の複数のセンシング力学部材３（測定点）の力学的状態の評価結果（例えば、異常の有無や度合）に関するデータが記録される。そのようなデータとして、例えば、各センシング力学部材３（測定点）の位置評価データ及び／又は作用力評価データなどを用いることができる。各センシング力学部材３の位置評価データとして、例えば、各センシング力学部材３の所望日時（例えば最新）の測定位置の評価結果を示すデータを用いることができる。測定位置の評価結果としては、例えば、測定位置と規定位置との対比結果（例えば相違ベクトル）を用いることができる。
また、測定作用力評価データとして、例えば、所望日時の測定作用力の評価結果示すデータを用いることができる。測定作用力の評価結果としては、例えば、測定作用力の規定作用力範囲との対比結果（例えば、逸脱量、及び／又はその逸脱量のレベル）を示すデータを用いることができる。
【００６５】
分析システム５は、測定点データテーブル５２の規定データ部５２Aと測定データ部５２Bに記録された各センシング力学部材３のデータから、各センシング力学部材３の位置評価データ及び作用力評価データを計算することができる。計算された各センシング力学部材３の位置評価データ及び作用力評価データは、測定点データテーブル５２の評価データ部５２Cに記録される。
【００６６】
図８は、分析システム５がデータベース５０上で管理する、分析結果データの構成例を示す。
【００６７】
分析システム５は、図８に示すような分析結果データテーブル５３を、データベース５０に有することができる。分析結果データテーブル５３には、構造物２の領域力学的状態（つまり、構造物２の占める３次元又は２次元の空間領域における力学的状態の分布）を示す領域力学的状態データが記録される。領域力学的状態データは、一種類又は複数種類のサブデータを含むことができる。図８に示した例では、形状モデルデータ、所望日時の位置モデルデータ、所望日時の作用力モデルデータ、所望日時の位置評価モデルデータ、及び所望日時の作用力評価モデルデータという5種類のサブデータが、分析結果データテーブル５３に記録される。
【００６８】
形状モデルデータは、構造物２の３次元又は２次元の形状（空間的領域）を表わす。形状モデルデータは、構造物２の複数の基準点の位置データから作成することができる。
【００６９】
所望日時の位置モデルデータは、構造物２の３次元又は２次元の空間領域における所望日時の測定位置データの分布を表わす。所望日時の位置モデルデータは、例えば、形状モデルデータに、複数の測定点の所望日時の測定位置データを、位置合わせして重ねることで作成できる。
【００７０】
所望日時の作用力モデルデータは、構造物２の３次元又は２次元の空間領域における所望日時の作用力データの分布を表わす。所望日時の作用力モデルデータは、例えば、形状モデルデータ上に、複数の測定点の所望日時の作用力データを、位置合わせして重ねることで作成できる。
【００７１】
所望日時の位置評価モデルデータは、構造物２の３次元又は２次元の空間領域における所望日時の位置評価データの分布を表わす。所望日時の位置評価モデルデータは、例えば、形状モデルデータ上に、複数の測定点の所望日時の位置評価データを、位置合わせして重ねることで作成できる。
【００７２】
所望日時の作用力モデルデータは、構造物２の３次元又は２次元の空間領域における所望日時の作用力データの分布を表わす。所望日時の作用力モデルデータは、例えば、形状モデルデータ上に、複数の測定点の所望日時の作用力データを、位置合わせして重ねることで作成できる。
【００７３】
分析システム５は、図６に示した基準点データテーブル５１のデータを用いて、図８に示した形状モデルデータを作成することができる。分析システム５は、また、図８に示した形状モデルデータと図７に示した測定位置データを用いて、図８に示した位置モデルデータを作成することができる。分析システム５は、また、図８に示した形状モデルデータと図７に示した作用力評価データを用いて、図８に示した作用力評価モデルデータを作成することができる。
分析システム５は、また、図８に示した形状モデルデータと図７に示した位置評価データを用いて、図８に示した位置評価モデルデータを作成することができる。分析システム５は、また、図８に示した形状モデルデータと図７に示した作用力評価データを用いて、図８に示した作用力評価モデルデータを作成することができる。
【００７４】
図９は、分析システム５が実行する構造物形状モデリング処理のステップ例を示す。
【００７５】
図９に示すように、分析システム５は、基準点データテーブル５１（図６参照）から、構造物２の複数の基準点２６の位置と部位のデータを読む（S1）。分析システム５は、読んだ複数の基準点２６の位置と部位に基づいて、構造物２の３次元又は２次元の形状モデルを表した形状モデルデータを作成する（S2）。分析システム５は、その形状モデルデータを、分析結果データテーブル５３（図８参照）に記録する（S3）。
【００７６】
分析システム５は、構造物２の形状モデルデータを、図１に示されたモニタ６に提供することができる。モニタ６は、その形状モデルデータを用いて、構造物２の形状のイメージを、表示スクリーンに表示することができる。表示される構造物２の形状のイメージは、例えば、図２において実線で描かれた構造物２のイメージのようなものである。
【００７７】
図１０は、分析システム５が実行する力学的状態評価処理のステップ例を示す。
【００７８】
図１０に示すように、分析システム５は、一つの測定点IDを選ぶ（S11）。分析システム５は、選んだ測定点IDに該当する測定点（センシング力学部材３）の規定位置、規定作用力範囲、所望日時（例えば最近の測定日時）の測定位置（その測定点が測位装置をもつ場合）、及び、所望日時の測定作用力を、測定点データテーブル５２（図７参照）から読む（S12）。
【００７９】
分析システム５は、（その測定点が測位装置をもつ場合）読んだ規定位置と所望日時の測定位置とに基づいて、その測定点の位置評価データを作成する（S13）。分析システム５は、また、読んだ規定作用力範囲と所望日時の測定作用力とに基づいて、その測定点の作用力評価データを作成する（S14）。分析システム５は、作成したその測定点の位置評価データと作用力評価データを、測定点データテーブル５２（図７参照）に記録する（S14）。
【００８０】
分析システム５は、上記ステップS11〜S13を、構造物２の複数の測定点（センシング力学部材３）について繰り返す（S14）。
【００８１】
図１１は、分析システム５が実行する領域力学的状態データ作成処理のステップ例を示す。
【００８２】
図１１に示すように、分析システム５は、構造物２の形状モデルデータを、分析結果データテーブル５３（図８参照）から読む（S20）。分析システム５は、構造物２の複数の測定点（センシング力学部材３）の規定位置、並びに、それら測定点の所望日時の測定位置データ、作用力データ、位置評価データ及び作用力評価データを、測定点データテーブル５２（図７参照）から読む（S21）。
【００８３】
分析システム５は、構造物２の形状モデルデータ上に、複数の測定点の所望日時の測定位置データを、位置合わせて重ねることで、所望日時の構造物２における位置評価の空間的分布を示した位置評価モデルデータを作成する（S22）。この時、形状モデルデータ上での各測定点の位置合わせは、各測定点の規定位置又は測定位置を用いて行うことができる。分析システム５は、作成した所望日時の位置モデルデータを、分析結果データテーブル５３（図８参照）に記録する（S23）。
【００８４】
分析システム５は、構造物２の形状モデルデータ上に、複数の測定点の所望日時の作用力データを、位置合わせて重ねることで、所望日時の構造物２における作用力の空間的分布を示した作用力モデルデータを作成する（S24）。この時、形状モデルデータ上での各測定点の位置合わせは、各測定点の規定位置又は測定位置を用いて行うことができる。分析システム５は、作成した所望日時の作用力モデルデータを、分析結果データテーブル５３（図８参照）に記録する（S25）。
【００８５】
分析システム５は、構造物２の形状モデルデータ上に、複数の測定点の所望日時の位置評価データを、位置合わせて重ねることで、所望日時の構造物２における位置評価結果の空間的分布を示した位置評価モデルデータを作成する（S26）。この時、形状モデルデータ上での各測定点の位置合わせは、各測定点の規定位置又は測定位置を用いて行うことができる。分析システム５は、作成した所望日時の位置評価モデルデータを、分析結果データテーブル５３（図８参照）に記録する（S27）。
【００８６】
分析システム５は、構造物２の形状モデルデータ上に、複数の測定点の所望日時の作用力評価データを、位置合わせて重ねることで、所望日時の構造物２における作用力評価結果の空間的分布を示した作用力評価モデルデータを作成する（S28）。分析システム５は、作成した所望日時の位置評価モデルデータを、分析結果データテーブル５３（図８参照）に記録する（S29）。
【００８７】
図１２は、図１１に示された領域力学的状態データ作成処理で作成された位置評価モデルデータをモニタ６で表示したときの表示イメージ例を示す。
【００８８】
図１２に示されたイメージ例では、実線で描かれたイメージが、構造物２の形状モデルを表す。円形のドットマークが測定点（センシング力学部材３）を示し、幾つかの測定点に付された矢印が、その測定点で観測された有意な位置評価データ（例えば、規定位置から無視できない程度に測定位置がずれていること）を表している。
【００８９】
図１２のイメージ例では、例えば、橋脚２３の上部と、橋脚２３に支えられた主桁２１の中央部の測定位置が、規定位置より下方にずれていることが、見て取れる。したがって、橋脚２３の上部に何らかの力学的異常（例えば、変形、破損、崩壊、沈下など）が生じている可能性を知ることができる。
【００９０】
図１３は、図１１に示された領域力学的状態データ作成処理で作成された作用力評価モデルデータの表示イメージ例を示す。
【００９１】
図１３に示されたイメージ例では、実線で描かれたイメージが、構造物２の形状モデルを表す。円形、三角形及び正方形のドットマークが測定点（センシング力学部材３）を示す。三角形のドットマークは、マイナスの作用力評価データ（例えば、測定作用力が規定作用力範囲より過小であること）を示す。三角形のドットマークに付されたマイナスの数字は、測定作用力の過小の度合いを示す。四角形のドットマークは、プラスの作用力評価データ（例えば、測定作用力が規定作用力範囲より過大であること）を示す。四角形のドットマークに付されたプラスの数字は、測定作用力の過大の度合いを示す。
【００９２】
図１３のイメージ例では、橋脚２３の最上部（例えば、支承）と、片方の橋台２２Bの上部に、マイナスの作用力異常が発生しており、橋脚２３の主要部に、プラスの作用力異常が発生していることが、見て取れる。マイナスの作用力異常が発生している測定点については、例えば、その測定点に力学的に関連する部分で構造物２が変形、縮小、破損、又は崩壊している可能性が推測できる。プラスの作用力異常が発生している測定点については、例えば、その測定点に力学的に関連する部分で構造物２が変形、膨張、負荷増大、又は異物食い込みなどが発生している可能性が推測できる。
【００９３】
図１２及び図１３に例示したように、構造物２における力学的状態の評価結果の空間分布をイメージ化して表示することで、構造物２のどの部分にどのような種類の力学的異常が存在するか否かを、容易に把握又は推測することができる。また、継続的に繰り返される測定の結果を利用することで、上記の空間分布イメージをタイムリーに更新できるので、構造物２の領域力学的状態のタイムリーな把握又は推測が可能である。
【００９４】
なお、図示は省略するが、位置モデルデータ又は作用力モデルデータをイメージ化したモニタ６に表示することも可能である。位置モデリングデータのイメージは、例えば、図１２に示したイメージにおいて、各測定点（円ドット）に、矢印（位置評価結果）に代えて、各測定点の測定位置及び／又は規定位置の座標値を示したようなイメージにすることができる。また、作用力モデリングデータのイメージは、例えば、図１２に示したイメージにおいて、各測定点（円ドット）に、矢印（位置評価結果）に代えて、各測定点の測定作用力及び／又は規定作用力範囲の値を示したようなイメージにすることができる。これらのイメージから、構造物２における力学的状態の空間分布を把握又は推測することができる。
【００９５】
さらに、上述した位置モデルデータ、作用力モデルデータ、位置評価モデルデータ及び作用力評価モデルデータから２種以上のデータを選択して重ねて、表示するようにしてもよい。それにより、一つのイメージから、より詳細な力学的状態の分布の様子を知ることができるであろう。
【００９６】
以上説明した本発明の実施形態は、説明のための単なる例示であり、本発明の範囲をその実施形態のみに限定する趣旨ではない。本発明は、上記の実施形態とは違うさまざまな形態で、実施することができる。
【００９７】
例えば、分析システム５は、構造物の領域力学的状態データとして、上に例示した形状モデルデータ、位置評価モデルデータ及び作用力評価モデルデータのセットとは異なるデータを作成してもよい。
【００９８】
例えば、複数の測定点（センシング力学部材３）から得られた点力学的状態データと測定点の測定位置データとを用いて、補間計算を行うことで、構造物２の測定点以外の多くの測定点での力学的状態データを推定することができる。そして、測定点での点力学的状態データと、推定された他の測定点での力学的状態データとを統合することで、よりきめの細かい構造物２の領域力学的状態データを作成することができる。
【００９９】
また、例えば、異なる測定日時の各々毎に構造物２の領域力学的状態データを作成し、そして、それら異なる測定日時の領域力学的状態データを対比することで、構造物２の領域力学的状態の経時変化を明らかにすることができる。それにより、例えば、災害や環境変化や工事などの過去のイベント、あるいは、構造物２の使用年数が、構造物２の力学的状態にどのような影響を与えたかを知ることができる。
【０１００】
また、測定点の位置データとして、緯度、経度、及び高度のような地球座標系のそれとは異なる座標系のもの、例えば、特定の地域や特定の施設におけるローカルな座標系の位置データを使用してもよい。
【０１０１】
また、例えば、自動車や航空機のような移動する構造物に関して、測定された位置と測定された力学的状態の相関関係を分析することもできる。それにより、例えば、航空機が高高度を飛行すると航空機のある部分に大きい負荷がかかる、というように、構造物の存在する場所や環境が構造物２の力学的状態にどのような影響を与えるかを知ることができる。
【０１０２】
センシング力学部材３として、上に例示した締結ボルト以外のさまざまな金属製又は非金属製の力学部材を採用することができる。例えば、構造物の躯体構造又は基礎を構成する柱材、梁材、線材、棒材、板材、ブロック材、吊材、固定材、補強材など、外力を支える機能をはたす多種多様な部材が、センシング力学部材３として利用できる。
【符号の説明】
【０１０３】
１  構造物監視システム
２  構造物
３  センシング力学部材（測定点）
６  ヘッド３の凹部
５  分析システム
６  モニタ
２６  基準点
３２  電子装置
５０  データベース
５１  基準点データテーブル
５２  測定点データテーブル
５２A  規定データ部
５２B  測定データ部
５２B  評価データ部
５３  分析結果データテーブル
３２８  測位装置
S1〜S3  構造物形状モデリング処理
S11〜S15  力学的状態評価処理
S20〜S29  領域力学的状態データ作成処理
【図１】
0006789637.tif 000002
【図２】
0006789637.tif 000003
【図３】
0006789637.tif 000004
【図４】
0006789637.tif 000005
【図５】
0006789637.tif 000006
【図６】
0006789637.tif 000007
【図７】
0006789637.tif 000008
【図８】
0006789637.tif 000009
【図９】
0006789637.tif 000010
【図１０】
0006789637.tif 000011
【図１１】
0006789637.tif 000012
【図１２】
0006789637.tif 000013
【図１３】
0006789637.tif 000014